(57)【要約】【課題】熱交換器の熱膨張・熱収縮が起こっても異音の発生を防止できる空気調和機を提供する。【解決手段】キャビネット２に室内側熱交換器１０を備え、該熱交換器１０がその長手方向両側の支持部材１２，１３により支持され、少なくとも一方の支持部材１２を弾性変形可能に構成して熱交換器１０を弾性支持させる。これにより、冷房あるいは暖房時に急冷却あるいは急加熱されて熱交換器１０に熱膨張・熱収縮が発生したとしても、その歪を支持部材１２の弾性により吸収するため、異音の発生をなくすことができる。【選択図】  図４
2007155202.tif 000002
【特許請求の範囲】
【請求項１】
キャビネットに熱交換器を備え、該熱交換器がその長手方向両側の支持部材により支持された空気調和機において、前記熱交換器は、少なくとも一方の支持部材に弾性支持されていることを特徴とする空気調和機。
【請求項２】
前記支持部材が前記キャビネットに熱交換器の長手方向に弾性変形可能に取付けられたことを特徴とする請求項１に記載の空気調和機。
【請求項３】
前記支持部材がキャビネットに片持ち支持されたことを特徴とする請求項２に記載の空気調和機。
【請求項４】
前記熱交換器が室内ユニットに搭載されていることを特徴とする請求項１〜３のいずれかに記載の空気調和機。
【発明の詳細な説明】
【技術分野】
【０００１】
本発明は、業務用や家庭用の冷暖房機等の空気調和機に関し、特に、空気調和機本体に装備された熱交換器の支持構造に関するものである。
【背景技術】
【０００２】
この種の空気調和機において、壁掛タイプの室内ユニットは、本体キャビネットの上部前面に吸込口が開口され、下部前面に吹出口が開口され、吸込口から吸入された空気が送風機により室内側熱交換器に送られ、ここで熱交換された後、吹出口から吹出されるようになっている。
【０００３】
従来の熱交換器の支持構造は、その長手方向の両端を支持部材で支持固定した構造であり、熱交換器の熱膨張や熱収縮などによる変形を考慮せず、必要強度の確保に注力し設計がなされている。例えば、特許文献１には、熱交換器を支持する支持部材間に補強部材を架設する方法が開示されている。
【特許文献１】特開２００４−１８３９７７号
【発明の開示】
【発明が解決しようとする課題】
【０００４】
しかしながら、室内側熱交換器は、室外ユニット側からの冷媒により冷却もしくは加熱されて空気通路に送られてきた空気と熱交換されるので、冷房あるいは暖房の運転開始時もしくは運転停止時からしばらくの間は、急冷却あるいは急加熱され、熱交換器は著しい熱膨張・熱収縮が発生する場合がある。
【０００５】
この熱膨張・熱収縮は、熱交換器とこれを支持する支持部材との間で応力をもたらし、両部品間の係合・支持部から、しばしば歪を開放する音が発生する。この発生音は大変耳障りであり、ユーザーからのクレームに繋がることが多かった。
【０００６】
本発明は、上記に鑑み、熱交換器の熱膨張・熱収縮が起こっても異音の発生を防止できる空気調和機の提供を目的とする。
【課題を解決するための手段】
【０００７】
上記目的を達成するために、本発明に係る空気調和機は、キャビネットに熱交換器を備え、該熱交換器がその長手方向両側の支持部材により支持された空気調和機において、前記熱交換器は、少なくとも一方の支持部材に弾性支持されていることを特徴とする。
【０００８】
上記構成によると、熱交換器が少なくとも一方の支持部材に弾性支持されているので、冷房あるいは暖房時に急冷却あるいは急加熱されて熱交換器の熱膨張したとしても、その歪を支持部材の弾性により吸収するため、異音の発生をなくすことができる。
【０００９】
熱交換器を弾性支持する形態としては、支持部材と熱交換器との間にばね部材を介在させてもよく、あるいは支持部材そのものに弾性を有する構造としてもよい。部品点数を低減する上では、支持部材そのものに弾性機能を持たせ、本体キャビネットに熱交換器の長手方向に弾性変形可能に取付ける構成とする方が有利である。
【００１０】
支持部材そのものに弾性機能を持たせるには、支持部材を本体キャビネットに片持ち支持される構造とすると、素材そのものによる弾性機能を発揮しやすくなる。
【００１１】
なお、熱交換器は室内側熱交換器および室外側熱交換器のいずれの支持構造にも本発明を適用することができるが、ユーザーに不快感を与えやすい室内ユニットの熱交換器の支持構造として本発明を適用するのが好ましい。
【発明の効果】
【００１２】
以上のとおり、本発明によると、熱交換器が少なくとも一方の支持部材に弾性支持されているので、冷房あるいは暖房時に急冷却あるいは急加熱されて熱交換器が熱膨張・熱収縮したとしても、その歪を支持部材の弾性により吸収するため、異音の発生を低減することができる。
【発明を実施するための最良の形態】
【００１３】
以下、本発明の実施形態を図面に基づいて説明する。図１は本発明の実施形態を示す空気調和機の側面断面図、図２は同じく空気調和機の分解斜視図、図３は熱交換器の長手方向の断面模式図、図４（ａ）は支持部材の支持状態を示す斜視図、（ｂ）はその要部詳細図である。
【００１４】
図に示すように、本発明に係る空気調和機１は、上端部を開放したキャビネット２に吸込口３を備えたオープンパネルおよび前面パネル５を装着して空気調和機の本体Ａが構成される。本体Ａは、その背面側上部に設けられた係止部を被空調室の壁面に固着された据付板６に係止して壁掛け設置される。
【００１５】
本体Ａの上部前面に吸込口３が開口され、下部前面に吹出口７が開口され、これら吸込口３と吹出口７とはドレンパン８によって仕切られ、かつ内部に吸込口３から吹出口７に至る空気通路９が形成される。
【００１６】
空気通路９には、吸込口３から吹出口７に向かって室内側熱交換器１０と送風機１１とが配設されている。そして、吸込口３から吸入された空気が送風機１１により室内側熱交換器１０に送られ、ここで熱交換された後、吹出口７から吹出されるようになっている。
【００１７】
室内側熱交換器１０は、前部熱交換器１０ａおよび後部熱交換器１０ｂにより逆Ｖ字状に形成されてなる。各熱交換器１０ａ、１０ｂは、上下方向で蛇行状に配された冷媒管１０ｃと、板面方向が冷媒管の管軸方向と直交して冷媒管に固定された多数の放熱フィン１０ｄとから構成され、放熱フィン１０ｄが冷媒管の管軸方向に多数配列されてなる。冷媒管１０ｃは、その入口側と出口側が熱交換器の同じ端部側に設定される。そして、前部熱交換器１０ａおよび後部熱交換器１０ｂは、冷凍サイクルにおいて、直列に接続された構造であってもよいし、また、並列に接続された構造であってもよい。
【００１８】
これらの熱交換器１０ａ，１０ｂは、その長手方向の両側がキャビネット２に接合される支持部材１２，１３によって支持される。支持部材１２，１３は、熱交換器１０の端部側の放熱フィン１０ｄあるいは熱交換器１２，１３の両端部において放熱フィン１０ｄよりも左右外方向に突出するＵ字形の冷媒管１０ｃを支持する支持部１２ａ，１３ａを備えている。
【００１９】
熱交換器１０ａ，１０ｂの支持部の構造は特に限定されるものではなく、挟み込み支持構造あるいは貫通穴に嵌合して嵌合支持構造などが例示できる。
【００２０】
また、本実施形態では、図２において、左右両側の支持部材１２，１３のうち、左側の支持部材１２が熱交換器１０を弾性的に支持し、右側の支持部材１３が熱交換器１０を支持固定するようにしている。
【００２１】
熱交換器１０の右側端部には、冷媒管１０ｃの入口および出口が設けられており、これらを支持する右側の支持部材１３は、室外ユニット側に向かう冷媒管を貫通支持する支持部が形成されている。右側の支持部材１３は、ビス等によりキャビネット２に固定される。なお、図３は熱交換器の支持構造を模式的に現したものであるので、右側の支持部材１３がキャビネット２と一体形成された状態となっているが、前述のように、ビス等でキャビネットに固定してもよく、また、キャビネットと一体的に形成してもよい。
【００２２】
一方、左側の支持部材１２は、図３に示すように、基端側にキャビネットに取り付ける取付部１２ｂを有し、先端側に前記支持部１２ａを備えた片持ち状の部材であって、取付部１２と先端支持部１２ａとの間にＳ字状の撓み部１２ｃが形成され、左右方向にたわみ弾性変形ができるようになっている。撓み代は先端の支持部１２ａ側で１ｍｍ以上であることが望ましい。
【００２３】
取付部１２ｂは、図４に示すように、上端側にキャビネット２のボス１５にビス１６により固定するためのビス孔１７が形成され、下端部にキャビネット２の上向きの係合爪１８に係脱自在に係合する係合凹部１９が形成され、該係合凹部１９が係合爪１８に係合することにより左右方向（熱交換器の長手方向）の位置ずれを防止できるようになっている。
【００２４】
なお、支持部材１２，１３の素材は、特に限定されるものではなく、例えば、合成樹脂あるいは金属のいずれであってもよい。
【００２５】
送風機１１は、室内側熱交換器１０により熱交換された空気を吹出口７に送出するもので、クロスフローファン１０ａとモータ１０ｂとから構成され、モータ１０ｂはキャビネット２のモータ収容室に設置され、クロスフローファン１０ａのモータ軸と反対側の回転軸１０ｃは軸受け２１および軸支持部材２２を介してキャビネット２に回転自在に軸受けされる。
【００２６】
上記構成の空気調和機において、室内側熱交換器１０の取付け手順を説明すると、まず、キャビネット２に支持部材１２，１３を取付け、その後に、熱交換器１０を取付ける。ここで、支持部材１２は、そのままでは熱交換器９の左右長さのばらつきにより、位置ずれが生じてキャビネット２との接合時の位置決めが困難になってしまうおそれがあるが、図４に示すように、係合凹部１９と係合爪１８との係合により、熱交換器１０の長手方向の位置ずれが生じないように規制すると共に、強度的にも十分な支持構造となっている。
【００２７】
また、支持部材１２，１３のうち、熱交換器１０の一端部を支持する支持部材１２が、その撓み部１２ｃにより熱交換器１０の長手方向（左右方向）にたわみ変形可能であるから、熱交換器１０の一方を支持部材１３に取付けた後、熱交換器１０を傾けるようにして他方の支持部材１２に挿入し、両支持部材１２，１３により熱交換器１０を支持させることができる。
【００２８】
熱交換器１０は、冷房あるいは暖房時の急冷却あるいは急加熱により熱膨張あるいは熱収縮して、図４の矢印の方向に伸縮するが、支持部材１２が弾性撓み変形可能になっているから、そのひずみを吸収して、ひずみを開放するときに生じる異音を低減することができる。
【００２９】
また、熱交換器１０と支持部材１２、１３とは、撓みを持たせた関係で支持部材１２，１３を取り外すことなく、熱交換器１０を分解することができるといった優れた効果がある。
【００３０】
なお、本発明は、上記実施形態に限定されるものではなく、本発明の範囲内で多くの修正変更を加えることができるのは勿論である。例えば、上記実施形態では、室内側熱交換器の支持構造について説明したが、本発明は室外ユニットに搭載される室外側熱交換器に支持構造に適用してもよいことは勿論である。
【図面の簡単な説明】
【００３１】
【図１】本発明の実施形態を示す空気調和機の側面断面図
【図２】図１の空気調和機の分解斜視図
【図３】熱交換器長手方向の断面模式図
【図４】（ａ）は支持部材の支持状態を示す斜視図、（ｂ）はその要部詳細図
【符号の説明】
【００３２】
Ａ    本体
１    空気調和機
２    キャビネット
３    吸込口
５    前面パネル
６    据付板
７    吹出口
８    ドレンパン
９    空気通路
１０      熱交換器
１０ａ    前部熱交換器
１０ｂ    後部熱交換器
１０ｃ    冷媒管
１０ｄ    放熱フィン
１１    送風機
１２、１３    支持部材
１２ａ      支持部
１２ｂ      取付部
１２ｃ      撓み部
１５    ボス
１６    ビス
１７    ビス孔
１８    係合爪
１９    係合凹部
【図１】
2007155202.tif 000003
【図２】
2007155202.tif 000004
【図３】
2007155202.tif 000005
【図４】
2007155202.tif 000006